(57)【特許請求の範囲】
【請求項１】
コンテンツ管理サーバと、
前記コンテンツ管理サーバと通信ネットワークを介して接続されるクライアント端末とから構成され、
前記クライアント端末と着脱自在な取り付けで通信接続されるリムーバブルメディアに、前記コンテンツ管理サーバを特定する管理サーバＩＤとコンテンツと前記リムーバブルメディアの識別番号とが記憶保存されており、
前記コンテンツ管理サーバが、前記コンテンツ管理サーバを特定する管理サーバＩＤとコンテンツの削除要求若しくは再生不能要求を前記クライアント端末に送信し、
前記クライアント端末が、
前記コンテンツ管理サーバから前記管理サーバＩＤと前記コンテンツの削除要求若しくは再生不能要求を受信し、
受信した前記管理サーバＩＤと前記リムーバブルメディアに保存されている前記管理サーバＩＤとが合致するか否かを判定し、両者が合致する場合に、前記リムーバブルメディアに保存されている前記削除要求若しくは再生不能要求に対応する前記コンテンツを削除若しくは再生不能にし、
前記コンテンツの削除若しくは再生不能の処理完了に応じて、処理完了情報と前記リムーバブルメディアの識別番号を前記コンテンツ管理サーバに送信する
ことを特徴とするコンテンツ管理システム。
【請求項２】
前記クライアント端末が、前記コンテンツと対応するコンテンツＩＤの認識時に、前記コンテンツＩＤと前記コンテンツの削除若しくは再生不能の照会要求を前記コンテンツ管理サーバに送信し、
前記コンテンツ管理サーバが、前記照会要求に対応する前記コンテンツＩＤが削除要若しくは再生不能要か否かを記憶保存されている削除要若しくは再生不能要の登録情報と照合し、前記コンテンツＩＤが削除要若しくは再生不能要の場合に前記コンテンツＩＤに対応する前記コンテンツの削除要求若しくは再生不能要求を送信する
ことを特徴とする請求項１記載のコンテンツ管理システム。
【請求項３】
前記コンテンツが閲覧期限と対応して前記クライアント端末側で保存され、
前記クライアント端末側が、前記閲覧期限の到来の認識に応じて、前記閲覧期限に対応する前記コンテンツを削除する若しくは再生不能にする
ことを特徴とする請求項１又は２記載のコンテンツ管理システム。
【請求項４】
通信ネットワークを介してクライアント端末と接続されるコンテンツ管理サーバであって、
着脱自在な取り付けで通信接続されるリムーバブルメディアに、前記コンテンツ管理サーバを特定する管理サーバＩＤとコンテンツと前記リムーバブルメディアの識別番号とが記憶保存され、前記コンテンツ管理サーバから管理サーバＩＤとコンテンツの削除要求若しくは再生不能要求を受信し、受信した前記管理サーバＩＤと前記リムーバブルメディアに保存されている前記管理サーバＩＤとが合致するか否かを判定し、両者が合致する場合に、前記リムーバブルメディアに保存されている前記削除要求若しくは再生不能要求に対応する前記コンテンツを削除若しくは再生不能にし、前記コンテンツの削除若しくは再生不能の処理完了に応じて、処理完了情報と前記処理完了した前記コンテンツのコンテンツＩＤと前記リムーバブルメディアの識別番号を前記コンテンツ管理サーバに送信する前記クライアント端末に対し、前記コンテンツ管理サーバを特定する管理サーバＩＤとコンテンツの削除要求若しくは再生不能要求を送信すると共に、
前記削除若しくは再生不能の処理完了情報と前記処理完了した前記コンテンツのコンテンツＩＤと前記リムーバブルメディアの識別番号を前記クライアント端末から受信し、前記コンテンツＩＤと前記リムーバブルメディアの識別番号を対応させて記憶保存する
ことを特徴とするコンテンツ管理サーバ。
【請求項５】
前記クライアント端末が、前記コンテンツと対応するコンテンツＩＤの認識時に、前記コンテンツＩＤと前記コンテンツの削除若しくは再生不能の照会要求を送信する場合に、
前記クライアント端末から受信した前記コンテンツの削除若しくは再生不能の照会要求に応じて、前記照会要求に対応する前記コンテンツＩＤが削除要若しくは再生不能要か否かを記憶保存されている削除要若しくは再生不能要の登録情報と照合し、前記コンテンツＩＤが削除要若しくは再生不能要の場合に前記コンテンツＩＤに対応する前記コンテンツの削除要求若しくは再生不能要求を送信する
ことを特徴とする請求項４記載のコンテンツ管理サーバ。
【請求項６】
着脱自在な取り付けで通信接続されるリムーバブルメディアに、コンテンツ管理サーバを特定する管理サーバＩＤとコンテンツと前記リムーバブルメディアの識別番号とが記憶保存され、前記コンテンツ管理サーバから管理サーバＩＤとコンテンツの削除要求若しくは再生不能要求を受信し、受信した前記管理サーバＩＤと前記リムーバブルメディアに保存されている前記管理サーバＩＤとが合致するか否かを判定し、両者が合致する場合に、前記リムーバブルメディアに保存されている前記削除要求若しくは再生不能要求に対応する前記コンテンツを削除若しくは再生不能にし、前記コンテンツの削除若しくは再生不能の処理完了に応じて、処理完了情報と前記処理完了した前記コンテンツのコンテンツＩＤと前記リムーバブルメディアの識別番号を前記コンテンツ管理サーバに送信するクライアント端末に対し、前記コンテンツ管理サーバを特定する管理サーバＩＤとコンテンツの削除要求若しくは再生不能要求を通信ネットワークを介して送信する手段と、
前記削除若しくは再生不能の処理完了情報と前記処理完了した前記コンテンツのコンテンツＩＤと前記リムーバブルメディアの識別番号を前記クライアント端末から前記通信ネットワークを介して受信し、前記コンテンツＩＤと前記リムーバブルメディアの識別番号を対応させて記憶保存する手段と
してサーバを機能させることを特徴とするサーバ用管理プログラム。
【請求項７】
通信ネットワークを介してコンテンツ管理サーバと接続されるクライアント端末であって、
前記クライアント端末と着脱自在な取り付けで通信接続されるリムーバブルメディアに、前記コンテンツ管理サーバを特定する管理サーバＩＤとコンテンツと前記リムーバブルメディアの識別番号とが記憶保存されており、
前記コンテンツ管理サーバから受信する前記コンテンツ管理サーバを特定する管理サーバＩＤとコンテンツの削除要求若しくは再生不能要求に応じて、受信した前記管理サーバＩＤと前記リムーバブルメディアに保存されている前記管理サーバＩＤとが合致するか否かを判定し、両者が合致する場合に、前記リムーバブルメディアに保存されている前記削除要求若しくは再生不能要求に対応する前記コンテンツを削除若しくは再生不能にし、
前記コンテンツの削除若しくは再生不能の処理完了に応じて、処理完了情報と前記リムーバブルメディアの識別番号を前記コンテンツ管理サーバに送信する
ことを特徴とするクライアント端末。
【請求項８】
クライアント端末と着脱自在な取り付けで通信接続されるリムーバブルメディアに、コンテンツ管理サーバを特定する管理サーバＩＤとコンテンツと前記リムーバブルメディアの識別番号とが記憶保存されている構成において、
前記コンテンツ管理サーバから受信する前記コンテンツ管理サーバを特定する管理サーバＩＤとコンテンツの削除要求若しくは再生不能要求に応じて、受信した前記管理サーバＩＤと前記リムーバブルメディアに保存されている前記管理サーバＩＤとが合致するか否かを判定し、両者が合致する場合に、前記リムーバブルメディアに保存されている前記削除要求若しくは再生不能要求に対応する前記コンテンツを削除若しくは再生不能にする手段と、
前記コンテンツの削除若しくは再生不能の処理完了に応じて、処理完了情報と前記リムーバブルメディアの識別番号を前記コンテンツ管理サーバに送信する手段と
してクライアント端末を機能させることを特徴とする端末用管理プログラム。
【発明の詳細な説明】
【技術分野】
【０００１】
本発明は、クライアント端末側で保存される所要の文書等のコンテンツを再生できないようにしてセキュリティを確保するコンテンツ管理システム、コンテンツ管理サーバ及びサーバ用管理プログラム、クライアント端末及び端末用管理プログラムに関する。
【背景技術】
【０００２】
従来、クライアント端末で保存される文書を削除してセキュリティを確保する管理システムとして、特許文献１、２の管理システムがある。このシステムは、クライアント端末で承認者がユーザＩＤ、パスワード等のログイン情報を入力して文書管理サーバに接続し、クライアント端末が文書管理サーバから承認事項を受信して承認事項に付帯する文書ファイルを取得して一時的に保存し、更に、クライアント端末が次の作業工程の指示後に一時的に保存した文書ファイルを削除するものである。
【先行技術文献】
【特許文献】
【０００３】
【特許文献１】特開２０１０−１４６４２６号公報
【特許文献２】特開２０１２−２５６３７２号公報
【発明の概要】
【発明が解決しようとする課題】
【０００４】
ところで、特許文献１、２のシステムは、承認フローの流れに従ってクライアント端末に一時的に保存される文書の削除は可能であるものの、承認フローの流れ以外のダウンロードでクライアント端末に文書が保存される場合、着脱されるリムーバブルメディアを介してクライアント端末に文書が保存される場合、或いはリムーバブルメディアに文書が保存される場合など、多様な形でクライアント端末側に文書が保存される現場に対しては対応することができない。そのため、多様な形でクライアント端末側に保存される文書を削除し、情報漏洩等のリスクを低減してセキュリティを確保できるシステムが求められている。
【０００５】
本発明は上記課題に鑑み提案するものであって、多様な形でクライアント端末側に保存される文書等のコンテンツを適切なタイミングで再生できないようにし、情報漏洩等のリスクを低減してセキュリティを確保することができると共に、コンテンツの保全を確保することができるコンテンツ管理システム、コンテンツ管理サーバ及びサーバ用管理プログラム、クライアント端末及び端末用管理プログラムを提供することを目的とする。
【課題を解決するための手段】
【０００６】
本発明のコンテンツ管理システムは、コンテンツ管理サーバと、前記コンテンツ管理サーバと通信ネットワークを介して接続されるクライアント端末とから構成され、前記クライアント端末と着脱自在な取り付けで通信接続されるリムーバブルメディアに、前記コンテンツ管理サーバを特定する管理サーバＩＤとコンテンツと前記リムーバブルメディアの識別番号とが記憶保存されており、前記コンテンツ管理サーバが、前記コンテンツ管理サーバを特定する管理サーバＩＤとコンテンツの削除要求若しくは再生不能要求を前記クライアント端末に送信し、前記クライアント端末が、前記コンテンツ管理サーバから前記管理サーバＩＤと前記コンテンツの削除要求若しくは再生不能要求を受信し、受信した前記管理サーバＩＤと前記リムーバブルメディアに保存されている前記管理サーバＩＤとが合致するか否かを判定し、両者が合致する場合に、前記リムーバブルメディアに保存されている前記削除要求若しくは再生不能要求に対応する前記コンテンツを削除若しくは再生不能にし、前記コンテンツの削除若しくは再生不能の処理完了に応じて、処理完了情報と前記リムーバブルメディアの識別番号を前記コンテンツ管理サーバに送信することを特徴とする。
これによれば、多様な形でクライアント端末側に保存される文書等のコンテンツをコンテンツ管理サーバからの削除若しくは再生不能要求により適切なタイミングで再生できないようにすることが可能であり、情報漏洩等のリスクを低減してコンテンツ管理のセキュリティを確保することができる。また、プロジェクトの終了や社員の退職等の多様な事情、多様なタイミングでコンテンツを再生できなくすることが可能であり、コンテンツ管理の柔軟性に優れる。また、削除や再生不能の処理に当たって管理サーバの照合を行うことにより、特定の管理サーバからの要求だけに応じてコンテンツを再生できないようにすることができ、不意にコンテンツが再生できなくなる事態が生ずることを防止してコンテンツの保全を確保することができる。また、リムーバブルメディアにプロジェクト資料等のコンテンツを格納して配布する場合に適応し、配布したリムーバブルメディア内のコンテンツを適切なタイミングで再生できないようにすることが可能であり、外部に持ち出されやすいＳＤカード等のリムーバブルメディア内のコンテンツを再生できないようにして、情報漏洩等のリスクをより低減してコンテンツ管理のセキュリティをより高めることができる。また、リムーバブルメディア内の管理サーバＩＤを用いた照合により、特定の管理サーバからの要求だけに応じてリムーバブルメディア内のコンテンツを再生できないようにすることが可能であり、リムーバブルメディア内のコンテンツが不意に再生できなくなる事態が生ずることを防止してコンテンツの保全を確保することができる。また、配布したリムーバブルメディア中のどのリムーバブルメディアに格納されたコンテンツが削除されたか、どのリムーバブルメディアに格納されたコンテンツが残っているか等を管理サーバ側で把握、追跡することができ、コンテンツ管理のセキュリティをより一層高めることができる。
【０００７】
本発明のコンテンツ管理システムは、前記クライアント端末が、前記コンテンツと対応するコンテンツＩＤの認識時に、前記コンテンツＩＤと前記コンテンツの削除若しくは再生不能の照会要求を前記コンテンツ管理サーバに送信し、前記コンテンツ管理サーバが、前記照会要求に対応する前記コンテンツＩＤが削除要若しくは再生不能要か否かを記憶保存されている削除要若しくは再生不能要の登録情報と照合し、前記コンテンツＩＤが削除要若しくは再生不能要の場合に前記コンテンツＩＤに対応する前記コンテンツの削除要求若しくは再生不能要求を送信することを特徴とする。
これによれば、リムーバブルメディアの取り付けやコンテンツの再生時などコンテンツＩＤの認識時に、コンテンツが削除若しくは再生不能にすべきものであるかを頻繁に確認し、該当するものがある場合には削除若しくは再生不能にすることができ、又、コンテンツＩＤを認識すれば削除若しくは再生不能が必要な否かの確認できるので、削除若しくは再生不能の対象になっているコンテンツ探索の網羅性にも優れており、コンテンツ管理のセキュリティをより一層高めることができる。
【０００８】
本発明のコンテンツ管理システムは、前記コンテンツが閲覧期限と対応して前記クライアント端末側で保存され、前記クライアント端末側が、前記閲覧期限の到来の認識に応じて、前記閲覧期限に対応する前記コンテンツを削除する若しくは再生不能にすることを特徴とする。
これによれば、プロジェクトの終了期限等の閲覧期限に合わせてコンテンツの再生ができないようにすることが可能であり、コンテンツ管理サーバからの要求に基づく処理と併用して二重にコンテンツの再生ができないようにすることができ、コンテンツ管理のセキュリティをより一層高めることができる。
【０００９】
本発明のコンテンツ管理サーバは、通信ネットワークを介してクライアント端末と接続されるコンテンツ管理サーバであって、着脱自在な取り付けで通信接続されるリムーバブルメディアに、前記コンテンツ管理サーバを特定する管理サーバＩＤとコンテンツと前記リムーバブルメディアの識別番号とが記憶保存され、前記コンテンツ管理サーバから管理サーバＩＤとコンテンツの削除要求若しくは再生不能要求を受信し、受信した前記管理サーバＩＤと前記リムーバブルメディアに保存されている前記管理サーバＩＤとが合致するか否かを判定し、両者が合致する場合に、前記リムーバブルメディアに保存されている前記削除要求若しくは再生不能要求に対応する前記コンテンツを削除若しくは再生不能にし、前記コンテンツの削除若しくは再生不能の処理完了に応じて、処理完了情報と前記処理完了した前記コンテンツのコンテンツＩＤと前記リムーバブルメディアの識別番号を前記コンテンツ管理サーバに送信する前記クライアント端末に対し、前記コンテンツ管理サーバを特定する管理サーバＩＤとコンテンツの削除要求若しくは再生不能要求を送信すると共に、前記削除若しくは再生不能の処理完了情報と前記処理完了した前記コンテンツのコンテンツＩＤと前記リムーバブルメディアの識別番号を前記クライアント端末から受信し、前記コンテンツＩＤと前記リムーバブルメディアの識別番号を対応させて記憶保存することを特徴とする。
これによれば、多様な形でクライアント端末側に保存される文書等のコンテンツをコンテンツ管理サーバからの削除若しくは再生不能要求により適切なタイミングで再生できないようにすることが可能であり、情報漏洩等のリスクを低減してコンテンツ管理のセキュリティを確保することができる。また、プロジェクトの終了や社員の退職等の多様な事情、多様なタイミングでコンテンツを再生できなくすることが可能であり、コンテンツ管理の柔軟性に優れる。また、削除や再生不能の処理に当たって管理サーバの照合を行うことにより、特定の管理サーバからの要求だけに応じてコンテンツを再生できないようにすることができ、不意にコンテンツが再生できなくなる事態が生ずることを防止してコンテンツの保全を確保することができる。また、リムーバブルメディアにプロジェクト資料等のコンテンツを格納して配布する場合に適応し、配布したリムーバブルメディア内のコンテンツを適切なタイミングで再生できないようにすることが可能であり、外部に持ち出されやすいＳＤカード等のリムーバブルメディア内のコンテンツを再生できないようにして、情報漏洩等のリスクをより低減してコンテンツ管理のセキュリティをより高めることができる。また、リムーバブルメディア内の管理サーバＩＤを用いた照合により、特定の管理サーバからの要求だけに応じてリムーバブルメディア内のコンテンツを再生できないようにすることが可能であり、リムーバブルメディア内のコンテンツが不意に再生できなくなる事態が生ずることを防止してコンテンツの保全を確保することができる。また、配布したリムーバブルメディア中のどのリムーバブルメディアに格納されたコンテンツが削除されたか、どのリムーバブルメディアに格納されたコンテンツが残っているか等を管理サーバ側で把握、追跡することができ、コンテンツ管理のセキュリティをより一層高めることができる。
【００１０】
本発明のコンテンツ管理サーバは、前記クライアント端末が、前記コンテンツと対応するコンテンツＩＤの認識時に、前記コンテンツＩＤと前記コンテンツの削除若しくは再生不能の照会要求を送信する場合に、前記クライアント端末から受信した前記コンテンツの削除若しくは再生不能の照会要求に応じて、前記照会要求に対応する前記コンテンツＩＤが削除要若しくは再生不能要か否かを記憶保存されている削除要若しくは再生不能要の登録情報と照合し、前記コンテンツＩＤが削除要若しくは再生不能要の場合に前記コンテンツＩＤに対応する前記コンテンツの削除要求若しくは再生不能要求を送信することを特徴とする。
これによれば、リムーバブルメディアの取り付けやコンテンツの再生時などコンテンツＩＤの認識時に、コンテンツが削除若しくは再生不能にすべきものであるかを頻繁に確認し、該当するものがある場合には削除若しくは再生不能にすることができ、又、コンテンツＩＤを認識すれば削除若しくは再生不能が必要な否かの確認できるので、削除若しくは再生不能の対象になっているコンテンツ探索の網羅性にも優れており、コンテンツ管理のセキュリティをより一層高めることができる。
【００１１】
本発明のサーバ用管理プログラムは、着脱自在な取り付けで通信接続されるリムーバブルメディアに、コンテンツ管理サーバを特定する管理サーバＩＤとコンテンツと前記リムーバブルメディアの識別番号とが記憶保存され、前記コンテンツ管理サーバから管理サーバＩＤとコンテンツの削除要求若しくは再生不能要求を受信し、受信した前記管理サーバＩＤと前記リムーバブルメディアに保存されている前記管理サーバＩＤとが合致するか否かを判定し、両者が合致する場合に、前記リムーバブルメディアに保存されている前記削除要求若しくは再生不能要求に対応する前記コンテンツを削除若しくは再生不能にし、前記コンテンツの削除若しくは再生不能の処理完了に応じて、処理完了情報と前記処理完了した前記コンテンツのコンテンツＩＤと前記リムーバブルメディアの識別番号を前記コンテンツ管理サーバに送信するクライアント端末に対し、前記コンテンツ管理サーバを特定する管理サーバＩＤとコンテンツの削除要求若しくは再生不能要求を通信ネットワークを介して送信する手段と、前記削除若しくは再生不能の処理完了情報と前記処理完了した前記コンテンツのコンテンツＩＤと前記リムーバブルメディアの識別番号を前記クライアント端末から前記通信ネットワークを介して受信し、前記コンテンツＩＤと前記リムーバブルメディアの識別番号を対応させて記憶保存する手段としてサーバを機能させることを特徴とする。
これによれば、多様な形でクライアント端末側に保存される文書等のコンテンツをコンテンツ管理サーバからの削除若しくは再生不能要求により適切なタイミングで再生できないようにすることが可能であり、情報漏洩等のリスクを低減してコンテンツ管理のセキュリティを確保することができる。また、プロジェクトの終了や社員の退職等の多様な事情、多様なタイミングでコンテンツを再生できなくすることが可能であり、コンテンツ管理の柔軟性に優れる。また、削除や再生不能の処理に当たって管理サーバの照合を行うことにより、特定の管理サーバからの要求だけに応じてコンテンツを再生できないようにすることができ、不意にコンテンツが再生できなくなる事態が生ずることを防止してコンテンツの保全を確保することができる。また、リムーバブルメディアにプロジェクト資料等のコンテンツを格納して配布する場合に適応し、配布したリムーバブルメディア内のコンテンツを適切なタイミングで再生できないようにすることが可能であり、外部に持ち出されやすいＳＤカード等のリムーバブルメディア内のコンテンツを再生できないようにして、情報漏洩等のリスクをより低減してコンテンツ管理のセキュリティをより高めることができる。また、リムーバブルメディア内の管理サーバＩＤを用いた照合により、特定の管理サーバからの要求だけに応じてリムーバブルメディア内のコンテンツを再生できないようにすることが可能であり、リムーバブルメディア内のコンテンツが不意に再生できなくなる事態が生ずることを防止してコンテンツの保全を確保することができる。また、配布したリムーバブルメディア中のどのリムーバブルメディアに格納されたコンテンツが削除されたか、どのリムーバブルメディアに格納されたコンテンツが残っているか等を管理サーバ側で把握、追跡することができ、コンテンツ管理のセキュリティをより一層高めることができる。
【００１２】
本発明のクライアント端末は、通信ネットワークを介してコンテンツ管理サーバと接続されるクライアント端末であって、前記クライアント端末と着脱自在な取り付けで通信接続されるリムーバブルメディアに、前記コンテンツ管理サーバを特定する管理サーバＩＤとコンテンツと前記リムーバブルメディアの識別番号とが記憶保存されており、前記コンテンツ管理サーバから受信する前記コンテンツ管理サーバを特定する管理サーバＩＤとコンテンツの削除要求若しくは再生不能要求に応じて、受信した前記管理サーバＩＤと前記リムーバブルメディアに保存されている前記管理サーバＩＤとが合致するか否かを判定し、両者が合致する場合に、前記リムーバブルメディアに保存されている前記削除要求若しくは再生不能要求に対応する前記コンテンツを削除若しくは再生不能にし、前記コンテンツの削除若しくは再生不能の処理完了に応じて、処理完了情報と前記リムーバブルメディアの識別番号を前記コンテンツ管理サーバに送信することを特徴とする。
これによれば、多様な形でクライアント端末側に保存される文書等のコンテンツをコンテンツ管理サーバからの削除若しくは再生不能要求により適切なタイミングで再生できないようにすることが可能であり、情報漏洩等のリスクを低減してコンテンツ管理のセキュリティを確保することができる。また、プロジェクトの終了や社員の退職等の多様な事情、多様なタイミングでコンテンツを再生できなくすることが可能であり、コンテンツ管理の柔軟性に優れる。また、削除や再生不能の処理に当たって管理サーバの照合を行うことにより、特定の管理サーバからの要求だけに応じてコンテンツを再生できないようにすることができ、不意にコンテンツが再生できなくなる事態が生ずることを防止してコンテンツの保全を確保することができる。また、リムーバブルメディアにプロジェクト資料等のコンテンツを格納して配布する場合に適応し、配布したリムーバブルメディア内のコンテンツを適切なタイミングで再生できないようにすることが可能であり、外部に持ち出されやすいＳＤカード等のリムーバブルメディア内のコンテンツを再生できないようにして、情報漏洩等のリスクをより低減してコンテンツ管理のセキュリティをより高めることができる。また、リムーバブルメディア内の管理サーバＩＤを用いた照合により、特定の管理サーバからの要求だけに応じてリムーバブルメディア内のコンテンツを再生できないようにすることが可能であり、リムーバブルメディア内のコンテンツが不意に再生できなくなる事態が生ずることを防止してコンテンツの保全を確保することができる。また、配布したリムーバブルメディア中のどのリムーバブルメディアに格納されたコンテンツが削除されたか、どのリムーバブルメディアに格納されたコンテンツが残っているか等を管理サーバ側で把握、追跡することができ、コンテンツ管理のセキュリティをより一層高めることができる。
【００１３】
本発明の端末用管理プログラムは、クライアント端末と着脱自在な取り付けで通信接続されるリムーバブルメディアに、コンテンツ管理サーバを特定する管理サーバＩＤとコンテンツと前記リムーバブルメディアの識別番号とが記憶保存されている構成において、前記コンテンツ管理サーバから受信する前記コンテンツ管理サーバを特定する管理サーバＩＤとコンテンツの削除要求若しくは再生不能要求に応じて、受信した前記管理サーバＩＤと前記リムーバブルメディアに保存されている前記管理サーバＩＤとが合致するか否かを判定し、両者が合致する場合に、前記リムーバブルメディアに保存されている前記削除要求若しくは再生不能要求に対応する前記コンテンツを削除若しくは再生不能にする手段と、前記コンテンツの削除若しくは再生不能の処理完了に応じて、処理完了情報と前記リムーバブルメディアの識別番号を前記コンテンツ管理サーバに送信する手段としてクライアント端末を機能させることを特徴とする。
これによれば、多様な形でクライアント端末側に保存される文書等のコンテンツをコンテンツ管理サーバからの削除若しくは再生不能要求により適切なタイミングで再生できないようにすることが可能であり、情報漏洩等のリスクを低減してコンテンツ管理のセキュリティを確保することができる。また、プロジェクトの終了や社員の退職等の多様な事情、多様なタイミングでコンテンツを再生できなくすることが可能であり、コンテンツ管理の柔軟性に優れる。また、削除や再生不能の処理に当たって管理サーバの照合を行うことにより、特定の管理サーバからの要求だけに応じてコンテンツを再生できないようにすることができ、不意にコンテンツが再生できなくなる事態が生ずることを防止してコンテンツの保全を確保することができる。また、リムーバブルメディアにプロジェクト資料等のコンテンツを格納して配布する場合に適応し、配布したリムーバブルメディア内のコンテンツを適切なタイミングで再生できないようにすることが可能であり、外部に持ち出されやすいＳＤカード等のリムーバブルメディア内のコンテンツを再生できないようにして、情報漏洩等のリスクをより低減してコンテンツ管理のセキュリティをより高めることができる。また、リムーバブルメディア内の管理サーバＩＤを用いた照合により、特定の管理サーバからの要求だけに応じてリムーバブルメディア内のコンテンツを再生できないようにすることが可能であり、リムーバブルメディア内のコンテンツが不意に再生できなくなる事態が生ずることを防止してコンテンツの保全を確保することができる。また、配布したリムーバブルメディア中のどのリムーバブルメディアに格納されたコンテンツが削除されたか、どのリムーバブルメディアに格納されたコンテンツが残っているか等を管理サーバ側で把握、追跡することができ、コンテンツ管理のセキュリティをより一層高めることができる。
【発明の効果】
【００１４】
本発明によれば、多様な形でクライアント端末側に保存される文書等のコンテンツをコンテンツ管理サーバからの削除若しくは再生不能要求により適切なタイミングで再生できないようにすることが可能であり、情報漏洩等のリスクを低減してコンテンツ管理のセキュリティを確保することができる。また、プロジェクトの終了や社員の退職等の多様な事情、多様なタイミングでコンテンツを再生できなくすることが可能であり、コンテンツ管理の柔軟性に優れる。また、削除や再生不能の処理に当たって管理サーバの照合を行うことにより、特定の管理サーバからの要求だけに応じてコンテンツを再生できないようにすることができ、不意にコンテンツが再生できなくなる事態が生ずることを防止してコンテンツの保全を確保することができる。
【図面の簡単な説明】
【００１５】
【図１】本発明による実施形態のコンテンツ管理システムの全体構成を示すブロック図。
【図２】実施形態でコンテンツ管理サーバに格納されている削除要登録情報を示す図。
【図３】実施形態でリムーバブルメディアに格納される管理情報を示す図。
【図４】実施形態におけるサーバ要求に基づくコンテンツ管理処理を示すフローチャート。
【図５】実施形態でコンテンツ管理サーバに格納される削除完了情報を示す図。
【図６】実施形態における閲覧期限到来に基づくコンテンツ管理処理を示すフローチャート。
【図７】本発明による実施形態の変形例のコンテンツ管理システムの全体構成を示すブロック図。
【図８】実施形態の変形例でクライアント端末の記憶部に格納される管理情報を示す図。
【発明を実施するための形態】
【００１６】
〔実施形態のコンテンツ管理システム〕
本発明による実施形態のコンテンツ管理システムは、図１に示すように、コンテンツ管理サーバ１０と、コンテンツ管理サーバと社内等の内部の又はインターネット等の外部の通信ネットワーク５を介して接続されるクライアント端末２０とから構成される。クライアント端末２０には、着脱自在に取り付けられるリムーバブルメディア読取装置３０と、リムーバブルメディア読取装置３０に着脱自在に取り付けられるリムーバブルメディア４０とが設けられ、クライアント端末２０にリムーバブルメディア４０がリムーバブルメディア読取装置３０を介して着脱自在な取り付けで通信接続される。
【００１７】
コンテンツ管理サーバ１０は、ＣＰＵ等の演算制御部１１と、ＲＯＭ、ＲＡＭ、ハードディスク等で構成される記憶部１２と、キーボード、マウス等の入力部１３と、液晶ディスプレイ等の画像表示部１４と、通信ネットワーク５を介してクライアント端末２０等との通信接続を担う通信部１５を備える。
【００１８】
記憶部１２は、サーバ側でのコンテンツ管理処理を実行するサーバ用管理プログラム等の所定の制御プログラムが格納されているプログラム記憶部１２１と、図２に示すように、削除が必要なコンテンツを特定するコンテンツＩＤの登録情報が格納されている削除要登録情報記憶部１２２と、削除が完了したコンテンツのコンテンツＩＤとリムーバブルメディア４０のメディア識別番号が対応して格納されている削除完了情報記憶部１２３をハードディスク等に有する。演算制御部１１は、サーバ用管理プログラム等の所定の制御プログラムに従って所定の処理を実行する。
【００１９】
クライアント端末２０は、例えばスマートフォン等の多機能携帯端末、パーソナルコンピュータ等、コンテンツを再生可能で且つ後述するコンテンツ管理処理を実行可能な端末であり、ＣＰＵ等の演算制御部２１と、ＲＯＭ、ＲＡＭ、ハードディスク等で構成される記憶部２２と、タッチパネル、キーボード、マウス等の入力部２３と、液晶ディスプレイ等の画像表示部２４と、通信ネットワーク５を介してコンテンツ管理サーバ１０等との通信接続を担う通信部２５と、リムーバブルメディア読取装置３０が着脱自在に取付可能であり、且つリムーバブルメディア読取装置３０との通信を担うＵＳＢポート等のインターフェイス２６と、日時を計測するカレンダー部２７を備える。
【００２０】
記憶部２２は、後述するコンテンツ管理処理を実行する端末用管理プログラムやコンテンツを再生するコンテンツ再生プログラム等の所定の制御プログラムが格納されているプログラム記憶部２２１をハードディスク等に有する。演算制御部２１は、端末用管理プログラム、コンテンツ再生プログラム等の所定の制御プログラムに従って所定の処理を実行する。
【００２１】
リムーバブルメディア読取装置３０は、例えばＳＤカードリーダーなどのカードリーダー等であり、ＣＰＵ等の演算制御部、ＲＯＭ、ＲＡＭ等の記憶部、クライアント端末２０に着脱自在に取付可能で且つクライアント端末２０との通信を担うＵＳＢポート等の端末側インターフェイス、リムーバブルメディア４０が着脱自在に取付可能で且つリムーバブルメディア４０との通信を担うカードスロット等のメディア側インターフェイスを有するものである。尚、クライアント端末２０自体に、リムーバブルメディア４０が着脱自在に取付可能で且つリムーバブルメディア４０との通信を担うカードスロット等のメディア側インターフェイスが設けられ、クライアント端末２０にリムーバブルメディア４０が直接取り付けられて通信する構成でも本発明は適用可能である。
【００２２】
リムーバブルメディア４０は、例えばＳＤカードなどの小型メモリーカード等であり、記憶領域４１と、リムーバブルメディア読取装置３０との通信を担う回路であるインターフェイス４２と、クライアント端末２０から入力される要求に応じて記憶領域４１にアクセスする回路であるコントロール部４３を有する。記憶領域４１には、クライアント端末２０の端末用管理プログラム等の特定のプログラムに従った処理でのみアクセス可能なプロテクト領域４１１と、クライアント端末２０のコンテンツ再生プログラム等の通常のプログラムに従った処理で自由にアクセス可能なユーザー領域４１２を有する。
【００２３】
記憶領域４１のプロテクト領域４１１には、コンテンツを特定するコンテンツＩＤ等の管理情報が管理情報記憶部４１１１に格納されており、管理情報は高度に保護されたプロテクト領域４１１に格納されることでアクセス制限された状態でリムーバブルメディア４０に記憶され、所定の書込プログラムでアクセス制限を解除した場合のみアクセスして書き換え可能になっている。尚、管理情報は、暗号鍵で暗号化してアクセス制限された状態でユーザー領域４１２に格納する等、適宜のアクセス制限された状態でリムーバブルメディア４０に記憶することが可能である。
【００２４】
このプロテクト領域４１１に格納される管理情報は、図３に示すように、例えばＳＤカード等のリムーバブルメディア４０を特定するメディア識別番号と、会社番号等のグループを特定するグループＩＤと、社員を特定する社員番号等の個人を特定する個人ＩＤと、リムーバブルメディア４０に格納されているコンテンツを特定するコンテンツＩＤと、コンテンツＩＤで特定されるコンテンツの閲覧期限と、コンテンツを削除する権限を有するコンテンツ管理サーバ１０を特定する管理サーバＩＤから構成される。また、ユーザー領域４１２には、文書、動画像、静止画像、音声或いはこれらの適宜の組み合わせ等のコンテンツがコンテンツＩＤに対応し、好適にはＣＰＲＭ、ＡＡＣＳ、ＣＰＸＭ又はＡＥＳ等でコピープロテクトされた状態でコンテンツ記憶部４１２１に格納されている。
【００２５】
尚、リムーバブルメディア４０の管理情報に個人を特定する個人ＩＤを記憶しない構成としても好適である。これにより、リムーバブルメディア４０に管理情報とコンテンツを格納して社内等に配布する際に、グループに対する画一的な情報を格納して配布することが可能となり、リムーバブルメディア４０への情報設定作業の効率化、リムーバブルメディア４０の配布の便宜性を高めることができる。
【００２６】
次に、実施形態におけるサーバ要求に基づくコンテンツ管理処理について説明する。クライアント端末２０にリムーバブルメディア読取装置３０が取り付けられ、リムーバブルメディア読取装置３０にリムーバブルメディア４０が取り付けられ、クライアント端末２０においてコンテンツ再生プログラム或いは別のコンテンツ再生認証プログラムと連動する等で端末用管理プログラムが起動した状態において、クライアント端末２０の演算制御部２１は、図４に示すように、端末用管理プログラムに従い、後述する閲覧期限到来に基づくコンテンツ管理処理の完了に応じて、或いは閲覧期限到来に基づくコンテンツ管理処理を行わない場合には、リムーバブルメディア４０の取り付けによる通信接続、端末用管理プログラムの起動若しくはリムーバブルメディア４０に保存されているコンテンツの再生要求の入力等に応じて、リムーバブルメディア４０が記憶領域４１に記憶されているコンテンツＩＤを認識し（Ｓ１１）、削除の照会要求と対象となるコンテンツＩＤを管理サーバＩＤで特定されるコンテンツ管理サーバ１０にアクセスして送信する（Ｓ１２）。
【００２７】
コンテンツ管理サーバ１０の演算制御部１１は、サーバ用管理プログラムに従い、削除の照会要求に対応するコンテンツＩＤを受信し、受信したコンテンツＩＤを削除要登録情報記憶部１２２に格納されている削除が必要なコンテンツを特定するコンテンツＩＤの登録情報テーブルと照合し、対象となるコンテンツＩＤが削除要のものであるか否かを判定する（Ｓ１３）。対象となるコンテンツＩＤが削除対象でない場合には対象となるコンテンツＩＤに削除要求がないことを示す削除不要信号をクライアント端末２０に送信し、その後、クライアント端末２０がコンテンツの再生処理等の必要な処理を実行する。
【００２８】
対象となるコンテンツＩＤが削除要のものである場合には、コンテンツ管理サーバ１０は、対象となるコンテンツＩＤのコンテンツを削除するように要求する削除要求とコンテンツ管理サーバ１０の管理サーバＩＤをクライアント端末２０に送信する（Ｓ１４）。
【００２９】
クライアント端末２０の演算制御部２１は、端末用管理プログラムに従い、削除要のコンテンツＩＤを有するコンテンツの削除要求と管理サーバＩＤを受信し、これに応じて、リムーバブルメディア４０に記憶されているコンテンツ管理サーバ１０を特定する管理サーバＩＤと、受信した削除要求に対応する管理サーバＩＤとが合致するか否かを判定し（Ｓ１５）、両者が合致する場合にリムーバブルメディア４０の記憶領域４１に格納されている対象となるコンテンツＩＤに対応するコンテンツの削除を実行する（Ｓ１６）。尚、合致しない場合には削除は行わない。
【００３０】
削除を完了時には、演算制御部２１は、端末用管理プログラムに従い、管理サーバＩＤで特定されるコンテンツ管理サーバ１０に削除の処理完了信号と削除したコンテンツのコンテンツＩＤとリムーバブルメディア４０のメディア識別番号を送信し（Ｓ１７）、コンテンツ管理サーバ１０では、サーバ用管理プログラムに従う演算制御部１１が、これらを受信し、図５に示すように、メディア識別番号と削除したコンテンツのコンテンツＩＤを対応させて削除完了情報記憶部１２３に記憶保存する（Ｓ１８）。クライアント端末２０側では、コンテンツＩＤのコンテンツがリムーバブルメディア４０から削除された場合、再生可能なコンテンツは削除されていない残りのコンテンツＩＤに対応するコンテンツか、或いは存在しなくなる。
【００３１】
尚、コンテンツの削除処理に代えて、コンテンツの再生を不能にする処理を用いることも可能であり、この場合には、クライアント端末２０からコンテンツ管理サーバ１０への再生不能の照会要求、コンテンツ管理サーバ１０における再生不能対象のコンテンツＩＤとの照合、判定、再生可能信号又は再生不能要求と再生不能化の権限を有する管理サーバＩＤの送信、クライアント端末２０における管理サーバＩＤの合致判定、対象となるコンテンツＩＤに対応するコンテンツを再生不能の暗号鍵で暗号化するなど再生不能処理の実行、クライアント端末２０からコンテンツ管理サーバ１０への再生不能処理完了情報と処理したコンテンツＩＤとメディア識別番号の送信、コンテンツ管理サーバ１０での再生不能処理完了のコンテンツＩＤとメディア識別番号を対応させての記憶保存等の処理が行われる。
【００３２】
次に、実施形態における閲覧期限到来に基づくコンテンツ管理処理について説明する。上記と同様に、クライアント端末２０にリムーバブルメディア読取装置３０が取り付けられ、リムーバブルメディア読取装置３０にリムーバブルメディア４０が取り付けられ、クライアント端末２０においてコンテンツ再生プログラム或いは別のコンテンツ再生認証プログラムと連動する等で端末用管理プログラムが起動した状態において、クライアント端末２０の演算制御部２１は、図６に示すように、端末用管理プログラムに従い、リムーバブルメディア４０の取り付けによる通信接続、端末用管理プログラムの起動若しくはリムーバブルメディア４０に保存されているコンテンツの再生要求の入力等に応じて、カレンダー部２７で認識される日時とリムーバブルメディア３０に記憶されているコンテンツの閲覧期限の比較を実行する（Ｓ２１）。
【００３３】
クライアント端末２０は、閲覧期限が到来しているコンテンツがある場合には、閲覧期限到来に対応するコンテンツＩＤのコンテンツを削除する処理を実行し（Ｓ２２）、削除の処理完了時には、管理サーバＩＤで特定されるコンテンツ管理サーバ１０に削除完了信号と削除したコンテンツのコンテンツＩＤとリムーバブルメディア３０のメディア識別番号を送信する（Ｓ２３）。コンテンツ管理サーバ１０では、サーバ用管理プログラムに従う演算制御部１１が、これらを受信して、メディア識別番号と削除したコンテンツのコンテンツＩＤを対応させて削除完了情報記憶部１２３に記憶保存する（Ｓ２４）。
【００３４】
単数又は複数の全てのコンテンツで閲覧期限が到来していない場合や、閲覧期限が到来していない残りのコンテンツに対しては、上述のサーバ要求に基づくコンテンツ管理処理を実行し、その後、所要のコンテンツの再生が行われる。尚、閲覧期限到来に基づくコンテンツ管理処理においても、コンテンツの削除に代えて、コンテンツを再生不能にする構成を用いることも可能であり、又は、サーバ要求に基づくコンテンツ管理処理のみを行い、閲覧期限到来に基づく削除若しくは再生不能のコンテンツ管理処理を行わない構成とすることも可能である。
【００３５】
第１実施形態のコンテンツ管理システムによれば、多様な形でクライアント端末２０側に保存される文書等のコンテンツをコンテンツ管理サーバ１０からの削除若しくは再生不能要求により適切なタイミングで再生できないようにすることが可能であり、情報漏洩等のリスクを低減してコンテンツ管理のセキュリティを確保することができる。特に、リムーバブルメディア４０にプロジェクト資料等のコンテンツを格納して配布する場合に適応でき、外部に持ち出されやすいＳＤカード等のリムーバブルメディア４０内のコンテンツを適切なタイミングで再生できないようにして、情報漏洩等のリスクを大幅に低減することができる。
【００３６】
また、コンテンツ管理サーバ１０からの削除要求、再生不能要求に基づく削除処理、再生不能化処理により、プロジェクトの終了や社員の退職等の多様な事情、多様なタイミングでコンテンツを再生できなくすることが可能であり、コンテンツ管理の柔軟性に優れる。
【００３７】
また、管理サーバＩＤを用いた照合により、特定のコンテンツ管理サーバ１０からの要求だけに応じてリムーバブルメディア４０内のコンテンツを再生できないようにすることが可能であり、リムーバブルメディア４０内のコンテンツが不意に再生できなくなる事態が生ずることを防止してコンテンツの保全を確保することができる。
【００３８】
また、コンテンツ管理サーバ１０でクライアント端末２０から送信されるリムーバブルメディア４０の識別番号を削除情報等と供に受信、保存することにより、配布したリムーバブルメディア４０中のどのリムーバブルメディア４０に格納されたコンテンツが削除されたか、どのリムーバブルメディア４０に格納されたコンテンツが残っているか等をコンテンツ管理サーバ１０側で把握、追跡することができ、かかる点からも、コンテンツ管理のセキュリティをより一層高めることができる。
【００３９】
また、リムーバブルメディア４０の取り付けやコンテンツの再生時などコンテンツＩＤの認識時に、コンテンツが削除若しくは再生不能にすべきものであるかを頻繁に確認し、該当するものがある場合には削除若しくは再生不能にすることができ、又、コンテンツＩＤを認識すれば削除若しくは再生不能が必要な否かの確認できるので、削除若しくは再生不能の対象になっているコンテンツ探索の網羅性にも優れており、かかる点からも、コンテンツ管理のセキュリティをより一層高めることができる。
【００４０】
また、閲覧期限が到来したコンテンツを削除する若しくは再生不能にすることで、プロジェクトの終了期限等の閲覧期限に合わせてコンテンツの再生ができないようにすることが可能であり、コンテンツ管理サーバ１０からの要求に基づく処理と併用して二重にコンテンツの再生ができないようにすることができ、かかる点からも、コンテンツ管理のセキュリティをより一層高めることができる。特に、リムーバブルメディア４０の識別番号と削除情報等をコンテンツ管理サーバ１０に保存する場合には、閲覧期限到来に基づく削除等とサーバ要求に基づく削除等の双方で削除等されたコンテンツをリムーバブルメディア４０の識別番号と対応して一括して把握することができる。
【００４１】
〔実施形態の変形例等〕
本明細書開示の発明は、各発明、実施形態の他に、適用可能な範囲で、これらの部分的な事項を本明細書開示の他の事項に変更して特定したもの、或いはこれらの事項に本明細書開示の他の事項を付加して特定したもの、或いはこれらの部分的な事項を部分的な作用効果が得られる限度で削除して特定した上位概念化したものを含むものであり、下記変形例も包含する。
【００４２】
例えばコンテンツと管理サーバＩＤ及びコンテントＩＤの格納場所、或いはコンテンツの格納場所は、上記実施形態のリムーバブルメディア４０の記憶領域４１に格納する構成の他、クライアント端末２０に内蔵されており記憶部２２とすることも可能であり、本発明は、クライアント端末２０に内蔵されている記憶部２２や接続される記憶部にコンテンツと管理サーバＩＤ及びコンテンツＩＤ、或いはコンテンツを格納する等のクライアント端末２０側でコンテンツを保存する適宜の構成を包含する。
【００４３】
クライアント端末２０の記憶部２２にコンテンツと管理サーバＩＤ及びコンテンツＩＤを格納する例としては、図７に示すように、クライアント端末２０に内蔵の記憶部２２のハードディスク等のコンテンツ記憶部２２２に、暗号化等で再生制限された状態で、且つ好適にはコピープロテクトされた状態で、コンテンツＩＤと対応させてコンテンツを格納すると共に、管理情報記憶部２２３に、暗号鍵による暗号化等でアクセス制限された状態で管理情報を格納する。この管理情報は、図８に示すように、例えばクライアント端末２０を特定する端末識別番号と、会社番号等のグループを特定するグループＩＤと、社員を特定する社員番号等の個人を特定する個人ＩＤと、クライアント端末２０に格納されているコンテンツを特定するコンテンツＩＤと、コンテンツＩＤで特定されるコンテンツの閲覧期限と、コンテンツを削除する権限を有するコンテンツ管理サーバ１０を特定する管理サーバＩＤ等から構成することが可能である。
【００４４】
そして、クライアント端末２０の演算制御部２１は、端末用管理プログラムに従い、端末用管理プログラムの起動若しくは記憶部２２に保存されているコンテンツの再生要求の入力等に応じて、カレンダー部２７で認識される日時と記憶部２２に記憶されているコンテンツの閲覧期限の比較、閲覧期限が到来しているコンテンツがある場合に閲覧期限到来に対応するコンテンツＩＤのコンテンツの削除或いは再生不可の処理、削除或いは再生不可の処理完了時に管理サーバＩＤで特定されるコンテンツ管理サーバ１０への完了信号と削除等したコンテンツのコンテンツＩＤとクライアント端末２０の端末識別番号の送信を行い、コンテンツ管理サーバ１０では、サーバ用管理プログラムに従う演算制御部１１が、これらを受信して、端末識別番号と削除処理或いは再生不可処理をしたコンテンツのコンテンツＩＤを対応させて削除完了情報記憶部１２３等に記憶保存する。
【００４５】
また、クライアント端末２０の端末用管理プログラムに従う演算制御部２１は、閲覧期限到来に基づくコンテンツ管理処理の完了に応じて、或いは閲覧期限到来に基づくコンテンツ管理処理を行わない場合には、端末用管理プログラムの起動若しくは記憶部２２に保存されているコンテンツの再生要求の入力等に応じて、記憶部２２に記憶されているコンテンツＩＤの認識、削除或いは再生不可の照会要求と対象となるコンテンツＩＤの管理サーバＩＤで特定されるコンテンツ管理サーバ１０への送信を行い、上記実施形態と同様に、コンテンツ管理サーバ１０では、削除等の照会要求のコンテンツＩＤが削除要或いは再生不可のものであるか否かの判定、削除要或いは再生不可要のものである場合に対象となるコンテンツＩＤのコンテンツの削除要求等とコンテンツ管理サーバ１０の管理サーバＩＤの送信等を行う。
【００４６】
その後、クライアント端末２０の端末用管理プログラムに従う演算制御部２１は、削除要のコンテンツＩＤを有するコンテンツの削除要求等と管理サーバＩＤの受信に応じて、記憶部２２に記憶されているコンテンツ管理サーバ１０を特定する管理サーバＩＤと、受信した削除要求に対応する管理サーバＩＤとが合致するか否かを判定し、両者が合致する場合に記憶部２２に格納されている対象となるコンテンツＩＤに対応するコンテンツの削除処理或いは再生不可処理を実行する。
【００４７】
削除或いは再生不可の処理完了時には、管理サーバＩＤで特定されるコンテンツ管理サーバ１０に処理完了信号と削除した或いは再生不可にしたコンテンツのコンテンツＩＤとクライアント端末２０の端末識別番号の送信を行い、コンテンツ管理サーバ１０では、サーバ用管理プログラムに従う演算制御部１１が、これらを受信して、端末識別番号と削除処理或いは再生不可処理をしたコンテンツのコンテンツＩＤを対応させて削除完了情報記憶部１２３等に記憶保存する。その後、クライアント端末２０では、所要のコンテンツの再生が行われる。
【００４８】
尚、クライアント端末２０の記憶部２２にコンテンツを格納し、リムーバブルメディア４０の管理情報として管理サーバＩＤとコンテンツＩＤを格納する場合には、例えばリムーバブルメディア４０の取り付けによる通信接続と、端末用管理プログラムの起動若しくは記憶部２２に保存されているコンテンツの再生要求の入力等の条件充足に応じて、リムーバブルメディア４０に格納されている管理サーバＩＤとコンテンツＩＤを用い、上記と同様に、閲覧期限到来に基づくコンテンツ管理処理、照会要求やサーバ要求に基づくコンテンツ管理処理等を行う。また、クライアント端末２０の記憶部２２等にコンテンツと管理サーバＩＤ及びコンテンツＩＤ、或いはコンテンツを格納する場合にも、サーバ要求に基づくコンテンツ管理処理のみを行い、閲覧期限到来に基づく削除若しくは再生不能のコンテンツ管理処理を行わない構成とすることも可能である。
【００４９】
また、本発明は企業内の文書等のコンテンツ管理の他、例えばレンタル業界でＳＤカード等のリムーバブルメディアにコンテンツを格納して配布し、当該コンテンツをスマートフォン等の多機能携帯端末、パーソナルコンピュータ等で視聴する場合にも適用することが可能である。
【産業上の利用可能性】
【００５０】
本発明は、例えば企業内でＳＤカードに資料を格納して社員に配布し、プロジェクトの終了等に応じて資料を削除する場合等に利用することができる。
【符号の説明】
【００５１】
１０…コンテンツ管理サーバ  １１…演算制御部  １２…記憶部  １２１…プログラム記憶部  １２２…削除要登録情報記憶部  １２３…削除完了情報記憶部  １３…入力部  １４…画像表示部  １５…通信部  ２０…クライアント端末  ２１…演算制御部  ２２…記憶部  ２２１…プログラム記憶部  ２２２…コンテンツ記憶部  ２２３…管理情報記憶部  ２３…入力部  ２４…画像表示部  ２５…通信部  ２６…インターフェイス  ２７…カレンダー部  ３０…リムーバブルメディア読取装置  ４０…リムーバブルメディア  ４１…記憶領域  ４１１…プロテクト領域  ４１１１…管理情報記憶部  ４１２…ユーザー領域  ４１２１…コンテンツ記憶部  ４２…インターフェイス  ４３…コントロール部  ５…通信ネットワーク
【図１】
0005892711.tif 000002
【図２】
0005892711.tif 000003
【図３】
0005892711.tif 000004
【図４】
0005892711.tif 000005
【図５】
0005892711.tif 000006
【図６】
0005892711.tif 000007
【図７】
0005892711.tif 000008
【図８】
0005892711.tif 000009